(57)【要約】      （修正有）【課題】自動車のシートにしっかりと固定でき、装着時の見栄えが良く、シートの形に影響されず簡便に装着できるソファータイプの自動車用シートカバーを提供する。【解決手段】自動車のシートの背もたれ部と座部の間に座席側から挿入される挿入用円柱体と、各々が前記挿入用円柱体の長手方向に沿って平面状の接合体によって接合された、背もたれ部側に露出される背もたれ部円柱体及び座部側に露出される座部円柱体とからなるカバー固定具、及び自動車のシートの背もたれ部及び座部を覆うソファーカバーを含む自動車用シートカバーであって、前記カバー固定具を自動車のシートに取り付け、その上に前記ソファーカバーを取り付けたときに、前記背もたれ部円柱体及び前記座部円柱体の表面部分とそれらと接触する前記ソファーカバーの表面部分が互いに係合及び固定できる材料から作られている。【選択図】図６
0003133994.tif 000002
【実用新案登録請求の範囲】
【請求項１】
自動車のシートの背もたれ部と座部の間に座席側から挿入される挿入用円柱体と、各々が前記挿入用円柱体の長手方向に沿って平面状の接合体によって接合された、背もたれ部側に露出される背もたれ部円柱体及び座部側に露出される座部円柱体とからなるカバー固定具、及び自動車のシートの背もたれ部及び座部を覆うソファーカバーを含む自動車用シートカバーであって、前記カバー固定具を自動車のシートに取り付け、その上に前記ソファーカバーを取り付けたときに、前記背もたれ部円柱体及び前記座部円柱体の表面部分とそれらと接触する前記ソファーカバーの表面部分が互いに係合及び固定できる材料から作られていることを特徴とする自動車用シートカバー。
【請求項２】
前記ソファーカバーが、クッション性を有する素材から形成されていることを特徴とする請求項１に記載の自動車用シートカバー。
【請求項３】
前記ソファーカバーが、足元側に、先端にフック部材の付いた弾性部材を有することを特徴とする請求項１又は２に記載の自動車用シートカバー。
【請求項４】
前記ソファーカバーが、自動車のシートのヘッドレストの２本のシャフトを通すための穴を有することを特徴とする請求項１〜３のいずれかに記載の自動車用シートカバー。
【請求項５】
ヘッドレストの２本のシャフトを通すための穴を有し、かつ前記ソファーカバーと同じ素材表面を有するヘッドレストカバーをさらに含むことを特徴とする請求項１〜４のいずれかに記載の自動車用シートカバー。
【考案の詳細な説明】
【技術分野】
【０００１】
本考案は、自動車のシートにしっかりと固定できるソファータイプの自動車用シートカバーに関する。
【背景技術】
【０００２】
従来、自動車用シートカバーは、シートの汚れ防止や表面の色柄等の趣味性の実現のために、多数のデザインが提案されている。そして、最近では、自動車の室内でも家のリビングのような快適な空間を得たいという要求から、ソファータイプの厚手の布地を用いた自動車用シートカバーが提案されている。
【０００３】
これらのソファータイプの自動車用シートカバーは、その厚みのため、専用品でない限りそのままシートに被せてもぴったりと適合しにくく、伸縮性のゴムをシートの周囲に巻回させることによってシートに取り付けられることが多かった。従って、従来のソファータイプの自動車用シートカバーは、見栄えが悪く、長時間着座するとカバーが当初の位置からずれていく、といった問題があった。
【０００４】
これらの問題を解決するため、本考案者は先に、シートに被せる薄手のシートカバーとその上に被せるソファータイプのシートカバーを用意し、これらを面ファスナーで接続する方法（特許文献１参照）を提案したが、薄手のシートカバーの形が自動車のシートにぴったりと適合しない場合があり、またシート全面にシートカバーを被せるのに手間がかかるという問題があった。
【特許文献１】実用新案登録第３１３０６３４号
【考案の開示】
【考案が解決しようとする課題】
【０００５】
本考案は、かかる従来技術の現状に鑑み創案されたものであり、その目的は、自動車のシートにしっかりと固定でき、装着時の見栄えが良く、シートの形に影響されず簡便に装着できるソファータイプの自動車用シートカバーを提供することにある。
【課題を解決するための手段】
【０００６】
本考案者は、かかる目的を達成するために、ソファータイプのシートカバーのシートへの固定方法を鋭意検討した結果、自動車のシートの背もたれと座面の間に挿入して固定される形式のカバー固定具を利用してソファーカバーを係合及び固定することにより、シートの形に拠らず簡便にしっかりと固定できることを見出し、本考案の完成に至った。
【０００７】
即ち、本考案は、自動車のシートの背もたれ部と座部の間に座席側から挿入される挿入用円柱体と、各々が前記挿入用円柱体の長手方向に沿って平面状の接合体によって接合された、背もたれ部側に露出される背もたれ部円柱体及び座部側に露出される座部円柱体とからなるカバー固定具、及び自動車のシートの背もたれ部及び座部を覆うソファーカバーを含む自動車用シートカバーであって、前記カバー固定具を自動車のシートに取り付け、その上に前記ソファーカバーを取り付けたときに、前記背もたれ部円柱体及び前記座部円柱体の表面部分とそれらと接触する前記ソファーカバーの表面部分が互いに係合及び固定できる材料から作られていることを特徴とする自動車用シートカバーである。
【０００８】
本考案の自動車用シートカバーの好ましい態様としては、前記ソファーカバーがクッション性を有する素材から形成され、足元側に、先端にフック部材のついた弾性部材を有し、自動車のシートのヘッドレストの２本のシャフトを通すための穴を有する。また、本考案の自動車用シートカバーの好ましい態様としては、ヘッドレストの２本のシャフトを通すための穴を有し、前記ソファーカバーと同じ素材表面を有するヘッドレストカバーがさらに含まれる。
【考案の効果】
【０００９】
本考案の自動車用シートカバーは、自動車のシートの背もたれ部と座部の間に挿入して固定される形式のカバー固定具により、上から装着されるソファータイプのシートカバーを係合及び固定しているので、自動車のシートの形に影響されず、良好な外観でしっかりと固定されたリビング感覚のソファーシートを自動車内に簡便に実現することができる。
【考案を実施するための最良の形態】
【００１０】
本考案の自動車用シートカバーの一例を図面を用いて以下説明するが、本考案はこれに限定されるものではない。
【００１１】
本考案の自動車用シートカバーは、最初に自動車のシートの背もたれ部と座部の間に挿入して固定されるカバー固定具１と、その固定されたカバー固定具１の上から装着されるソファーカバー２とから構成されるものである。
【００１２】
図１は、本考案の自動車用シートカバーのカバー固定具１の概略的な外観を示す。図１から明らかなように、カバー固定具１は挿入用円柱体１ａ、背もたれ部円柱体１ｂ、及び座部円柱体１ｃの三つの円柱体からなり、背もたれ部円柱体１ｂ及び座部円柱体１ｃはそれぞれ、平面状の接合体１ｄによって挿入用円柱体１ａの長手方向（即ち、円柱体の側面）に沿って接合されている。挿入用円柱体１ａは自動車のシートの背もたれ部と座部の間に座席側から挿入されてその反対側に露出され、背もたれ部円柱体１ｂ及び座部円柱体１ｃはそれぞれ、背もたれ部側及び座部側に露出されて使用される。各円柱体１ａ，１ｂ，１ｃをつなぐ平面状の接合体１ｄはそのとき自動車のシートの背もたれ部と座部の間で保持される。カバー固定具１は、このようにシートの背もたれ部と座部の間を通過することが困難である各円柱体１ａ，１ｂ，１ｃを、平面状の接合体１ｄを介して対向する三つの側に向けて露出させて各円柱体を互いに動かないようにすることにより、シートに強固に固定される。
【００１３】
各円柱体１ａ，１ｂ，１ｃは、シートの背もたれ部と座部の間を容易に通過できないような直径と高さを有するべきであり、背もたれ部円柱体１ｂ及び座部円柱体１ｃは、ソファーカバーをその上に取り付けたときにこれらの円柱体１ｂ，１ｃの表面部分がソファーカバーの表面部分と互いに係合及び固定できる材料から作られることが必要である。各円柱体１ａ，１ｂ，１ｃの直径は例えば２ｃｍ〜５ｃｍであり、各円柱体１ａ，１ｂ，１ｃの高さは座席側から見たシートの背もたれ部と座部の間の境界部分の長さの３０％〜７０％であることが好ましい。また、各円柱体１ａ，１ｂ，１ｃは、クッション性を有する布地材料から作られることが好ましく、特に円柱体１ｂ，１ｃの表面とカバーシートの表面は互いにフック面とループ面を構成して脱着可能なものから作られることが好ましく、例えばマジックテープやベルクロ型ファスナーを使用することができる。平面状の接合体１ｄは、円柱体１ａ，１ｂ，１ｃと同様の材料から作られてもよいが、顕著な伸縮性を示さないことが好ましい。また、平面状の接合体１ｄは、円柱体の側面の全面にわたって接合される必要はなく、各円柱体の接合がしっかりと保持できる限り、一部の長さのみに設けても複数箇所で途切れて設けられてもよい。
【００１４】
図２（ａ），（ｂ）はそれぞれ、ソファーカバー２の着席者側及びシート側の面を示す。ソファーカバー２は、シートの背もたれ部及び座部を完全に覆う大きさの平面的なものであり、クッション性を有するため１０ｍｍ〜１００ｍｍの厚さを有する。図２（ｂ）に示すように、ソファーカバー２のシート側には、シートの上に置いたときに接触する背もたれ部円柱体１ｂ及び座部円柱体１ｃと係合及び固定できる面材料５が設けられている。足元側には、先端にフック部材の付いた弾性部材４が取り付けられており、自動車のシート座面の裏の金具に引っ掛けられるようになっている。また、頭側には、シートの背もたれ部とヘッドレストの間の装着が適切に行なえるように、ヘッドレストの２本のシャフトを通すための穴３が設けられている。
【００１５】
ソファーカバー２は、インテリアソファーと同様の素材から形成され、例えば表面には合成皮革などのレザー地又はスエード地、ビニール地、ポリエステル地、ムートン地などの様々な生地を使用することができ、クッション部にはウレタンを使用することができる。また、ソファーカバー２の通気性を向上するために、通気性の良い綿生地をシート側の面に設けることができる。本考案の自動車用シートカバーは、カバー固定具１とソファーカバー２以外に、シートの枕部を覆うヘッドレストカバーも備えることができる。ヘッドレストカバーは、デザインの統一性のため、ソファーカバー２の表面と同じ素材表面から形成され、ヘッドレストへの固定のため、ヘッドレストの２本のシャフトを通すための穴を有する。ヘッドレストカバーは、ソファーカバー２と異なり、カバー固定具１を使用せずにヘッドレストに直接被せられて装着される。
【００１６】
本考案の自動車用シートカバーの取り付け方法としては、まず図３に示すようにカバー固定具１の挿入用円柱体１ａを自動車のシートの背もたれ部と座部の間に座席側から挿入し固定する。このとき、背もたれ部円柱体１ｂ及び座部円柱体１ｃはそれぞれ、図４に示すように、背もたれ部側及び座部側に露出されるようにする。次いで、ヘッドレストをいったん外して、図５に示すように、ソファーカバー２の穴３にヘッドレストのシャフトを通すことによってソファーカバー２の上部を固定し、図６に示すように、背もたれ部にソファーカバー２を被せ、図７に示すように、カバー固定具１とソファーカバー２の面材料５の係合及び固定がしっかりとなされるようにゆっくりと被せ、ソファーカバー２を座部にも被せると図８に示すような状態になる。そして、最後に、図９に示すように、フック部材の付いた弾性部材４をシート座面の裏の金具に引っ掛けると、図１０に示すように本考案の自動車用シートカバーの取り付けが完了する。
【産業上の利用可能性】
【００１７】
本考案の自動車用シートカバーは、自動車内にリビング感覚のソファーシートを簡便に実現することができるので、自動車産業において極めて有用である。
【図面の簡単な説明】
【００１８】
【図１】本考案の自動車用シートカバーのカバー固定具の概略的外観を示す。
【図２ａ】本考案の自動車用シートカバーのソファーシートの着席者側の面を平坦な状態で示す。
【図２ｂ】本考案の自動車用シートカバーのソファーシートのシート側の面を平坦な状態で示す。
【図３】本考案の自動車用シートカバーの取り付け手順を説明する図を示す。
【図４】本考案の自動車用シートカバーの取り付け手順を説明する図を示す。
【図５】本考案の自動車用シートカバーの取り付け手順を説明する図を示す。
【図６】本考案の自動車用シートカバーの取り付け手順を説明する図を示す。
【図７】本考案の自動車用シートカバーの取り付け手順を説明する図を示す。
【図８】本考案の自動車用シートカバーの取り付け手順を説明する図を示す。
【図９】本考案の自動車用シートカバーの取り付け手順を説明する図を示す。
【図１０】本考案の自動車用シートカバーの取り付けが完了した状態を示す。
【符号の説明】
【００１９】
１  カバー固定具
１ａ  挿入用円柱体
１ｂ  背もたれ部円柱体
１ｃ  座部円柱体
１ｄ  平面状の接合体
２  ソファーカバー
３  穴
４  フック部材の付いた弾性部材
５  カバー固定具と係合及び固定できる面材料
【図１】
0003133994.tif 000003
【図２ａ】
0003133994.tif 000004
【図２ｂ】
0003133994.tif 000005
【図３】
0003133994.tif 000006
【図４】
0003133994.tif 000007
【図５】
0003133994.tif 000008
【図６】
0003133994.tif 000009
【図７】
0003133994.tif 000010
【図８】
0003133994.tif 000011
【図９】
0003133994.tif 000012
【図１０】
0003133994.tif 000013
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
自動車のシートの背もたれ部と座部の間に座席側から挿入される挿入用円柱体と、背もたれ部側に露出される背もたれ部円柱体と、座部側に露出される座部円柱体と、前記挿入用円柱体に対してその長手方向に沿って前記背もたれ部円柱体及び前記座部円柱体を接合する平面状の接合体とからなるカバー固定具、及び自動車のシートの背もたれ部及び座部を覆うソファーカバーを含む自動車用シートカバーであって、前記カバー固定具を自動車のシートに取り付け、その上に前記ソファーカバーを取り付けたときに、前記背もたれ部円柱体及び前記座部円柱体の表面部分とそれらと接触する前記ソファーカバーの表面部分が互いに係合及び固定できる材料から作られていることを特徴とする自動車用シートカバー。
【請求項２】
前記ソファーカバーが、クッション性を有する素材から形成されていることを特徴とする請求項１に記載の自動車用シートカバー。
【請求項３】
前記ソファーカバーが、足元側に、先端にフック部材の付いた弾性部材を有することを特徴とする請求項１又は２に記載の自動車用シートカバー。
【請求項４】
前記ソファーカバーが、自動車のシートのヘッドレストの２本のシャフトを通すための穴を有することを特徴とする請求項１〜３のいずれかに記載の自動車用シートカバー。
【請求項５】
ヘッドレストの２本のシャフトを通すための穴を有し、かつ前記ソファーカバーと同じ素材表面を有するヘッドレストカバーをさらに含むことを特徴とする請求項１〜４のいずれかに記載の自動車用シートカバー。
【手続補正２】
【補正対象書類名】明細書
【補正対象項目名】０００７
【補正方法】変更
【補正の内容】
【０００７】
即ち、本考案は、自動車のシートの背もたれ部と座部の間に座席側から挿入される挿入用円柱体と、背もたれ部側に露出される背もたれ部円柱体と、座部側に露出される座部円柱体と、前記挿入用円柱体に対してその長手方向に沿って前記背もたれ部円柱体及び前記座部円柱体を接合する平面状の接合体とからなるカバー固定具、及び自動車のシートの背もたれ部及び座部を覆うソファーカバーを含む自動車用シートカバーであって、前記カバー固定具を自動車のシートに取り付け、その上に前記ソファーカバーを取り付けたときに、前記背もたれ部円柱体及び前記座部円柱体の表面部分とそれらと接触する前記ソファーカバーの表面部分が互いに係合及び固定できる材料から作られていることを特徴とする自動車用シートカバーである。
【手続補正３】
【補正対象書類名】明細書
【補正対象項目名】００１３
【補正方法】変更
【補正の内容】
【００１３】
各円柱体１ａ，１ｂ，１ｃは、シートの背もたれ部と座部の間を容易に通過できないような直径と高さを有するべきであり、背もたれ部円柱体１ｂ及び座部円柱体１ｃは、ソファーカバーをその上に取り付けたときにこれらの円柱体１ｂ，１ｃの表面部分がソファーカバーの表面部分と互いに係合及び固定できる材料から作られることが必要である。各円柱体１ａ，１ｂ，１ｃの直径は例えば２ｃｍ〜５ｃｍであり、各円柱体１ａ，１ｂ，１ｃの高さは座席側から見たシートの背もたれ部と座部の間の境界部分の長さの３０％〜７０％であることが好ましい。また、各円柱体１ａ，１ｂ，１ｃは、クッション性を有する布地材料から作られることが好ましく、特に円柱体１ｂ，１ｃの表面とカバーシートの表面は互いにフック面とループ面を構成して脱着可能なものから作られることが好ましく、例えばマジックテープ（登録商標）やベルクロ型ファスナーを使用することができる。平面状の接合体１ｄは、円柱体１ａ，１ｂ，１ｃと同様の材料から作られてもよいが、顕著な伸縮性を示さないことが好ましい。また、平面状の接合体１ｄは、円柱体の側面の全面にわたって接合される必要はなく、各円柱体の接合がしっかりと保持できる限り、一部の長さのみに設けても複数箇所で途切れて設けられてもよい。